(57)【要約】【課題】  吸引空気と排出空気を分離するための着用者の顔の前方に置かれる溶接フィルター等の顔面遮蔽具の内側壁に関する。【解決手段】  内側壁は前側面と側壁とを含み、前側面が光透過部を有し、側壁が着用者の顔の方向において着用者の口の領域から眼の領域へ内側に曲げられ、前側面はその領域で着用者の顔の方向に配置され、内側に曲げられた前側面および周囲の側壁は共に、内側壁上に着脱自在に設置されるカバーと共働して少なくとも一つの排出通路を形成し、排出空気のための空気偏向手段を形成し、かつ少なくとも１つの開口が着用者の鼻と口の領域で内側に曲げられた前側面に形成されている。かかる内側壁において、少なくとも前側面は、カバーの光透過部分が内側壁の光透過部分に配置されるように、カバーを受けることができる構成であることを特徴とする。【選択図】      図１１
2006239392.tif 000002
【特許請求の範囲】
【請求項１】
着用者の顔の前方に置かれる溶接フィルターのような顔面遮蔽具の内側壁（１０″）であって、前側の面（１８）と側壁（１９）とを含み、
前側の面（１８）が防護ガラスによる光透過部分（９″）を有し、側壁（１９）が着用者の顔が位置する場所に向う方向において、着用者の口が位置する領域から着用者の眼が位置する領域へと、内側に曲げられ、
内側壁（１０″）の前側の面（１８）は、前記領域において着用者の顔が位置する場所に向かう方向に配置され、
内側に曲げられた前側の面および内側に曲げられた周囲の側壁（１９）は共に、内側壁（１０″）上に着脱自在に設置されるカバー（２０）と共働して少なくとも一つの排出通路（１２″）を形成し、排出空気（ｕ）のための空気偏向手段（３）を形成し、かつ
少なくとも１つの開口（１１″）が着用者の鼻と口とが位置する領域で内側に曲げられた前側の面（１８）に形成された内側壁（１０″）において、
少なくとも前側の面（１８）は、カバー（２０）の光透過部分（２４）が内側壁（１０″）の光透過部分（９″）に配置されるように、カバー（２０）を受けることができる構成であることを特徴とする顔面遮蔽具の内側壁。
【請求項２】
溶接スクリーンのような顔面遮蔽具の内側壁（１０″）上に着脱自在に配設される、排出空気（ｕ）のために空気偏向手段（３）を形成するためのカバーであって、内側壁（１０″）と共に少なくとも一つの排出通路（１２″）を形成する下部を含むカバーにおいて、
光透過部分（２４）を含むカバーの上部が、内側壁（１０″）の光透過部分（９″）に配置できるように構成されていることを特徴とするカバー。
【請求項３】
着用者の顔の前方に設置される溶接スクリーンのような顔面遮蔽具であって、前側の面（１８）と側壁（１９）とを有する内側壁（１０″）を含み、
前側の面（１８）が防護ガラスによる光透過部分（９″）を有し、側壁（１９）が着用者の顔が位置する場所に向う方向において、着用者の口が位置する領域から着用者の眼が位置する領域へと、内側に曲げられ、
内側壁（１０″）の前側の面（１８）は、前記領域において着用者の顔が位置する場所に向かう方向に配置され、
内側に曲げられた前側の面および内側に曲げられた周囲の側壁（１９）は共に、内側壁（１０″）上に着脱自在に設置されるカバー（２０）と共働して少なくとも一つの排出通路（１２″）を形成し、排出空気（ｕ）のための空気偏向手段（３）を形成し、かつ
少なくとも１つの開口（１１″）が着用者の鼻と口とが位置する領域で内側に曲げられた前側の面（１８）に形成された顔面遮蔽具において、
少なくとも前側の面（１８）は、カバー（２０）の光透過部分（２４）が内側壁（１０″）の光透過部分（９″）に配置されるように、カバー（２０）を受けることができる構成であることを特徴とする顔面遮蔽具。
【請求項４】
光透過部分（９″）は防護ガラスを有し、かつ顔面遮蔽具の外側には、熱吸収層が設けられ対流と暖気流とが得られるようにした出口オリフィス（１３，１３′，１３″）の領域を除き、熱の放射を反射する層が設けられていることを特徴とする請求項３に記載の顔面遮蔽具。
【請求項５】
防護ガラスを有する視界開口が内側壁（１０″）の各側面（１９）に配設され、出口オリフィス（１３″）は各側面（１９）に設置されかつ前記防護ガラスの方に向けられていることを特徴とする請求項３または４に記載の顔面遮蔽具。
【請求項６】
空気偏向手段（３）は少なくとも一つの案内翼形（４）を含み、案内翼形（４）は排出空気（ｕ）のための少なくとも１つの偏向表面（５）を形成し、案内翼形（４）は着用者の排出空気が衝突する領域に配設されていることを特徴とする請求項３から５のいずれか１項に記載の顔面遮蔽具。
【請求項７】
複数の案内翼形（４）が、対称直線の両側に実質的に対称的に配置されていることを特徴とする請求項６に記載の顔面遮蔽具。
【請求項８】
対称直線は、着用者の顔が位置する場所に向って対面する分離縁（７）で形成され、かつ排出空気（ｕ）のための偏向表面（５）が分離縁（７）の両側から延びていることを特徴とする請求項７に記載の顔面遮蔽具。
【請求項９】
複数の案内翼形（４）が、開口（１１″）の領域に配設されていることを特徴とする請求項６から８のいずれか１項に記載の顔面遮蔽具。
【請求項１０】
顔面遮蔽具が溶接スクリーンであ、かつ光透過部分（９″）が赤外線フィルターと紫外線フィルターの少なくとも一方またはファーストフィルターで形成されていることを特徴とする請求項３から９のいずれか１項に記載の顔面遮蔽具。
【発明の詳細な説明】
【技術分野】
【０００１】
本発明は、着用者の顔面の前に置かれるようにした溶接スクリーン等の顔面遮蔽具の内側壁に関する。
【０００２】
更に、本発明は、顔面遮蔽具の内側壁等の上に着脱自在に設置されるカバーに関する。
【０００３】
更に、本発明は、かかる内側壁およびカバーを含む溶接スクリーン等の顔面遮蔽具に関する。
【背景技術】
【０００４】
かかる内側壁、カバーおよび顔面遮蔽具はＦＲ−Ａ−２３３５２００から既知である。
【０００５】
溶接や機械的処理のような作業の間、顔面遮蔽具が、眼や顔面などの身体の部分に損傷を与えることのある紫外線、熱、毒物、粒子またはその他の要素を眼や顔面が受けないようにするために必要である。
【０００６】
長い間、顔面遮蔽具が用いられる作業において着用者が疲労、頭痛および目まいを生じることが多いという問題があった。この原因は特に、顔面遮蔽具が用いられた時着用者の吸入空気の中の増大した二酸化炭素の含有量にあるということが知られている。試験の結果は顔面遮蔽具の背後の吸入空気が排出空気の混入のため二酸化炭素の含有量が増大することを示している。吸入空気の中の二酸化炭素の許容含有量の限界と勧告とが存在する。
【０００７】
溶接の煙を溶接スクリーンの前方から溶接スクリーンの内部からの吸入空気を介して吹き出しまたこのようにして溶接スクリーンの前方で空気の循環を増大させる機械的な手段が米国特許第５，０２９，３４２号に提案され、太陽電池によって駆動されるファンを具備する溶接スクリーンを示している。このファンは空気を溶接スクリーンの内部から吸引しそして溶接スクリーンの前面を通って溶接場所に向う方向に排出し煙が溶接スクリーンに達しないようにしている。この構造の欠点は、効果的な吹出し作用を達成するためには比較的大量の空気が必要でありそのため溶接マスクの内側にけん引力が生じ、またファンを通過する空気流が溶接光により制限され着用者が必要とする換気作用が行われなくなることである。
【０００８】
他の顔面遮蔽具はＣＨ−Ａ−４７３５９２から既知であり、この文献は吸入空気および排出空気のためにフィルターおよび逆止弁を有するガスマスクを記載している。
【０００９】
従来技術はまた、溶接ヘルメットが着用者の頭と肩の上に置かれる分離可能なカバーの形式で示されている米国特許第２，３７７，１２２号を含んでいる。呼吸マスクが鼻と口を覆い、それにより吸入空気が溶接ヘルメットの上方後側部分の空気入口から２つのホースを介してマスクに導入されるようにする。空気入口の各々によって逆止弁が設けられ、この逆止弁は空気がホースを通って吸入されるように開かれる。排出空気は顔面マスクの逆止弁を通って呼吸マスクから吐き出されそしてノズルを介し溶接ヘルメットの前面を通って外に出る。この構造の欠点は、着用者にとって呼吸するのが困難となることを意味するような、ホースを通る空気が大きな呼吸抵抗を受け、またある容量の排出空気が排気の間に呼吸マスクに供給されそのため次の吸入の場合に吸入空気の中の二酸化炭素の含有量が増大することである。さらなる欠点は呼吸マスクが長い間鼻と口の上に置かれた時に着用者が経験する湿気の問題とアレルギーの危険と不快さとである。
【００１０】
高い頭部の温度と日よけのひさしの曇りに関する問題が例えばオートバイ等に用いられる一体型ヘルメットに生じる。このため米国特許第４，７０４，７４６号には、例えばオートバイの走行中に生じる相対的な風の助けにより一体型ヘルメットを換気する提案がなされている。前方通路が一方において開口を介してヘルメットの内部と連通し、他方において調節自在の弁が設けられた開口を介してヘルメットの外部に連通している。第１の通気位置において、空気が前方通路を経てヘルメットの外部からヘルメットに供給される。第２の通気位置で、弁は相対的な風によってたたかれ、それにより前方通路に低圧が生じるようにする。この結果、空気はヘルメットの内部から前方通路を通って吸い出される。ヘルメットの頂端側にヘルメットの内部に接続するもう１つの開口が設けられる。相対的な風のためこの開口により低圧が生じ、それにより空気がヘルメットの内部から吸い出されるようにする。空気がこの開口を介して相対的な風によりヘルメットに供給され、それにより供給された空気がひさしの内側を通過し曇りが生じないようにする。この結果、相対風のため通気用の通路に形成される低圧と高圧の助けにより一体型ヘルメットの換気問題が解決できるようになる。
【００１１】
【特許文献１】ＦＲ−Ａ−２３３５２００
【特許文献２】ＣＨ−Ａ−４７３５９２
【特許文献３】米国特許第２，３７７，１２２号
【特許文献４】米国特許第４，７０４，７４６号
【特許文献５】米国特許第５，０２９，３４２号
【発明の開示】
【発明が解決しようとする課題】
【００１２】
本発明の一課題は、保護ガラスの洗浄および交換を促進することにある。
【００１３】
本発明の他の課題は、機械的な換気と外部のエネルギーの供給とを要しないで排出空気から解放された吸入空気を保持しそれにより吸入空気の二酸化炭素含有量を少なくすることができるようにした顔面遮蔽具をつくり出すことである。
【００１４】
本発明の他の課題は上記の公知の顔面遮蔽具の欠点をなくした顔面遮蔽具をつくり出すことである。
【００１５】
本発明の更に他の課題は顔面遮蔽具の背後の水分含有量を減少し曇りをなくしさらに生理的なストレスを減少させることである。
【００１６】
本発明のまた他の課題は顔面遮蔽具の背後の温度を低くしそれにより生理的なストレスを減少することである。
【００１７】
上記課題は、請求項１の特徴部に記載の特徴を有する最初に定義した種類の内側壁により達成される。
【００１８】
更に、上記課題は、請求項２の特徴部に記載の特徴を有する最初に定義した種類のカバーにより達成される。
【００１９】
更に、上記課題は、請求項３の特徴部に記載の特徴を有する最初に定義した種類の顔面遮蔽具により達成される。
【００２０】
空気は、排出空気の運動エネルギーと指向作用とを介して排出され、かつ吸入空気がつくり出す減圧により本発明の顔面カバーに供給される。
【００２１】
本発明によれば、吸入空気中の二酸化炭素の高すぎる含有量の問題は、排出空気が生理的および物理的な理由のため吸入空気よりも早い速度と範囲を有しているという事実により、資源の驚くほど小さな消費で解決される。
【００２２】
できる限り、排出の間排出空気の領域内にまたこの領域から鼻と口から十分な距離で通路を具備している空気偏向手段を配置することにより、排出空気は特に後方に効果的に排出することができる。排出空気はしたがって顔面遮蔽具の縁によりまたはその表面の開口を通って所定位置で排出することができ、また吸入空気はその遅い速度と物理的な理由のため、特に顔面に沿う空気容量から生じる低い流れ抵抗のもとに多くの方向から拡散して吸入することができる。
【課題を解決するための手段】
【００２３】
上記課題を解決するための本発明による着用者の顔の前方に置かれる溶接フィルターのような顔面遮蔽具の内側壁は、前側の面と側壁とを含み、前側の面が防護ガラスによる光透過部分を有し、側壁が着用者の顔が位置する場所に向う方向において着用者の口が位置する領域から着用者の眼が位置する領域へと内側に曲げられ、内側壁の前側の面は前記領域において着用者の顔が位置する場所に向かう方向に配置され、内側に曲げられた前側の面および内側に曲げられた周囲の側壁は共に、内側壁上に着脱自在に設置されるカバーと共働して少なくとも一つの排出通路を形成し、排出空気のための空気偏向手段を形成し、かつ少なくとも１つの開口が着用者の鼻と口とが位置する領域で内側に曲げられた前側の面に形成された内側壁に関する。かかる顔面遮蔽具の内側壁において、本発明によれば、少なくとも前側の面は、カバーの光透過部分が内側壁の光透過部分に配置されるように、カバーを受けることができる構成であることを特徴とする。
【００２４】
更に、本発明は、溶接スクリーンのような顔面遮蔽具の内側壁上に着脱自在に配設される、排出空気のために空気偏向手段を形成するためのカバーであって、内側壁と共に少なくとも一つの排出通路を形成する下部を含むカバーに関する。本発明によれば、かかるカバーは、光透過部分を含むカバーの上部が、内側壁の光透過部分に配置できるように構成されていることを特徴とする。
【００２５】
更に、本発明は、着用者の顔の前方に設置される溶接スクリーンのような顔面遮蔽具に関し、前側の面と側壁とを有する内側壁を含み、前側の面が防護ガラスによる光透過部分を有し、側壁が着用者の顔が位置する場所に向う方向において着用者の口が位置する領域から着用者の眼が位置する領域へと内側に曲げられ、内側壁の前側の面は前記領域において着用者の顔が位置する場所に向かう方向に配置され、内側に曲げられた前側の面および内側に曲げられた周囲の側壁は共に、内側壁上に着脱自在に設置されるカバーと共働して少なくとも一つの排出通路を形成し、排出空気のための空気偏向手段を形成し、かつ少なくとも１つの開口が着用者の鼻と口とが位置する領域で内側に曲げられた前側の面に形成された顔面遮蔽具を提供する。かかる顔面遮蔽具において、本発明によれば、少なくとも前側の面は、カバーの光透過部分が内側壁の光透過部分に配置されるように、カバーを受けることができる構成であることを特徴とする。
【００２６】
好適形態の顔面遮蔽具において、内側壁の光透過部分は防護ガラスを有し、かつ顔面遮蔽具の外側には、熱吸収層が設けられ対流と暖気流とが得られるようにした出口オリフィスの領域を除き、熱の放射を反射する層が設けられている。
【００２７】
好適形態の顔面遮蔽具において、防護ガラスを有する視界開口が内側壁の各側面に配設され、出口オリフィスは各側面に設置されかつその防護ガラスの方に向けられている。
【００２８】
好適形態の顔面遮蔽具において、空気偏向手段は少なくとも一つの案内翼形を含み、案内翼形は排出空気のための少なくとも１つの偏向表面を形成し、案内翼形は着用者の排出空気が衝突する領域に配設されている。
【００２９】
好適形態の顔面遮蔽具において、複数の案内翼形が、対称直線の両側に実質的に対称的に配置されている。
【００３０】
好適形態の顔面遮蔽具において、対称直線は、着用者の顔が位置する場所に向って対面する分離縁で形成され、かつ排出空気のための偏向表面が分離縁の両側から延びている。
【００３１】
好適形態の顔面遮蔽具において、複数の案内翼形が、開口の領域に配設されている。
【００３２】
好適形態の顔面遮蔽具において、顔面遮蔽具が溶接スクリーンであ、かつ内側壁の光透過部分が赤外線フィルターと紫外線フィルターの少なくとも一方またはファーストフィルターで形成されている。
【発明を実施するための最良の形態】
【００３３】
本発明は以下に添付図面を参照する実施態様の形式でさらに詳細に記載される。
【００３４】
図１は、横顔が見える人の様々な吸入および排出空気の方向を示す。鼻からの排出空気は通常斜め下方に向う方向に生じ、口からの排出方向は通常前方に生じる。これらの排出方向は様々な人々にとって異なっている。排出空気は吸入空気よりも高い速度と範囲を有しているため、空気の流れは顔の前方に形成され、図１に矢印で示されるように、吸入され顔の表面に沿って口と鼻に向って入ってくる空気の大きな部分が生じる。
【００３５】
図２は前方から見た人の吸入および排出空気の様々な方向を示す。鼻からの排出空気は通常人によって変わる２つの異なった方向に分割される。
【００３６】
従来の顔面遮蔽具が顔の前方に置かれた時、大量の排出空気が次の吸入が行われた時遮蔽具の背後に残りこのため排気が吸入空気と混合されそのため吸入空気中の二酸化炭素の含有量が増加するようになる。本発明によれば１つまたは複数の空気偏向手段を顔面遮蔽具の内部に設けることにより、排出空気は着用者の鼻と口が次の吸入における排出空気の含有量が減少するように位置している領域から出て行くことができる。
【００３７】
図３において、顔面遮蔽具が概略図で示され、空気偏向手段３が設けられて排出空気ｕを流出させる外側壁２を具備している。この例における空気偏向手段３は排出空気のための偏向表面５を形成する案内翼形４で形成されている。これらの案内翼形４は図４に示されるように外側壁２からある距離をおいて配置されまたは外側壁２の内面６に直接設けることができる。外側壁２はまた、案内翼形が外側壁２の一体部分を形成するように形成され、それにより案内翼形４と外側壁２とが一部材に製造されるようにすることができる。案内翼形４は、着用者の顔が位置するようになっている場所に向って対面する分離縁７の両側に実質的に対称に配設することができる。排出空気のための偏向表面５が分離縁７の両側に延び、それによりこれら偏向表面５が実質的に凸面の円弧面が形成できるようにする。この分離縁７はまた単一側面の形状にし排出空気を一側に向って案内することもできる。
【００３８】
図５は、第１の実施態様の案内翼形４と分離縁７とが溶接スクリーン８の内側にどのように配置されるかを示している。着用者の眼が位置するような領域に、防護ガラスを有する目視開口の形式の光透過部分９が設けられる。防護ガラスは例えば紫外線および／または紫外線フィルターまたはいわゆるファーストフィルターすなわち溶接光により影響を受けフィルターが暗くなるまでは完全に明るい光フィルターのような部分的に光透過性の材料で形成することができる。
【００３９】
図６において、空気偏向手段３が外側壁２の内側に連結された内側壁１０に形成される。内側壁１０は着用者の鼻と口から十分な距離をおいて配置される。排出空気ｕが内側壁１０の開口１１を通過し、外側壁２と内側壁１０との間に形成された１つまたは複数の排出通路１２に分かれて流入することができ、その後出口開口１３を通って排出通路１２から出て行く。排出空気ｕの運動エネルギーと指向作用が吸入空気ｉよりも大きくまた排出空気が排出通路１２内に形成する空気流の慣性のため、排出空気ｕは顔と顔面遮蔽具との間の純粋な空気の一部を一緒に運び、それにより排出通路１２からの排出空気ｕが次の吸入の際に最小となるようにする。吸入空気ｉは内側壁１０と顔との間に形成された空間と外側壁２と顔との間に形成された空間とを通って口と鼻に多量に供給される。開口１１は限定された大きさを有しまた排出空気が有する様々な方向に効果的に適合することができる。開口１１は大概の人の人体測定に適合するよう構成することができる。
【００４０】
顔面遮蔽具における吸入空気と排出空気との分離をさらに強めるため、空気偏向手段３は図７に示されるように組合わされる。内側壁１０の開口１１と外側壁との間に案内翼形４と分離縁７を取付けることにより、排出空気ｕが阻止されそれにより排出空気ｕが吸入空気ｉと混合しないようにする。このことはまた顔面遮蔽具の可撓性を増すのを助けそれにより顔面遮蔽具が全ての人によって用いることができ、例えば異なった呼吸角度で用いることができるようにする。
【００４１】
図８は空気偏向手段が溶接スクリーン８の内側に配置される方法を示す。着用者の両眼が置かれる領域に、光透過部分９が防護ガラスを備えた目視開口の形式で配設される。防護ガラスは例えば、赤外線および／または紫外線フィルターまたはいわゆるファーストフィルターのような部分的に光透過性の材料で作られる。
【００４２】
図９は上述の溶接スクリーン８の形式の顔面遮蔽具の斜面図を示す。図９の外側壁２は一部が切欠され内側壁１０が外側壁２の内側に配設される方法を示すようになっている。外側壁２は光透過部分９、例えば着用者が外側壁２を通して見ることができるようにする光フィルター（図示しない）を支持する。内側壁１０の上縁１４と下縁１５とは、例えば着用者から離れる方向に外側に向って曲げられている上縁１４と下縁１５とを介して外側壁２にぴったり接合されかつ外側壁２に締結され、それにより内側壁１０と外側壁２との間の排出通路１２が形成されるようにする。内側壁１０の側縁１６が外側壁２と共に、出口開口１３が外側壁２の両側に外側壁２と内側壁１０との間に形成されるような通路を区画形成する。
【００４３】
排出空気ｕが通過する内側壁１０の開口１１が設けられる。開口１１は鼻と口からの排出空気ｕが内側壁１０により妨げられることなく開口１１を通過できさらに排出通路１２を通り出口オリフィス１３を通って出て行くことができるように、適当に配置されまた形成される。開口１１は複数の異なる人々が同一型式の溶接スクリーン８を用いることができるように最適な形状に作られる。開口１１が内側壁１０の上縁１４から距離をおいて形成されそれにより内側壁１０の一部分１７が内側壁１０の上縁１４と開口１１の上縁との間に残るようにすることが重要である。この部分１７はしかし開口１１の周りに配設することができまた排出空気ｕが着用者の顔に向ってはね返るのを阻止するのに寄与する。
【００４４】
外側壁２と内側壁１０は好ましくは曲げられ顔と頭を側方から保護できるようにする。しかし前面と側面とが形成されるように角度がつけられた平坦な表面の外側壁２と内側壁１０を形成することができる。好ましくは外側壁２が額と頭の頂部の一部を越えて延びまた顎と喉を越えて下方に延びる。しかし外側壁２は口と鼻と眼の周りの部分だけが覆われるような形状とすることができる。さらにまた内側壁１０と顔との間の距離を十分に大きくし顔の表面に沿った吸入空気のための空間が得られるようにする。
【００４５】
図１０は溶接スクリーン８′の形式の顔面遮蔽具を示す。空気偏向手段３が内側壁１０′の外側に置かれた外側壁２′によって形成されている。内側壁１０′は光透過部分９′、例えば防護ガラス（図示しない）を有する目視開口を有している。外側壁２′の上縁１４′と下縁１５′は、例えば着用者に向う方向に内側に向って曲げられ内側壁１０′に締結されている上縁１４′と下縁１５′とにより内側壁１０′に堅密に連結されそれにより排出通路１２′が外側壁２′と内側壁１０′との間に形成されるようにする。外側壁２′の側縁１６′はしかし内側壁１０′に接して位置しないで出口オリフィス１３′が内側壁１０′の両側に外側壁２′と内側壁１０′との間に形成されるようにする。
【００４６】
図１１の（Ａ）および（Ｂ）に示されるように、溶接スクリーン８″が、内側壁１０″と共働して排出通路１２″を形成する外側壁として作用するカバー２０（図１１Ａ）の形式の空気偏向手段と一体のユニットとして形成することができる。内側壁１０″は前面側１８と側壁１９とを具備している。内側壁１０″の側壁１９の一部を着用者に向う方向に内側に曲げまた内側壁１０″の前面側の一部を着用者に向う方向に内側に動かすことにより、これらの面は内側壁１０″の外面よりも着用者の顔に近く配置される壁の表面を形成する。内側に移動された前面側１８で、口と鼻の周りの部分に開口１１″が形成されこの開口１１″を通って排出空気ｕが流れることができる。内側に移動された前面側１８において、着用者の眼が位置する部分に、防護ガラスを有する目視開口の形式の光透過部分９″が配設される。この防護ガラスは例えば赤外線および／または紫外線フィルターまたはいわゆるファーストフィルターのような部分的に光を透過する材料から形成することができる。
【００４７】
内側壁１０″の前面側の外側で、カバー２０が内側に移動される部分の上に施される。カバー２０は排出空気ｕのための出口オリフィス１３″が形成される内側壁１０″の側面の一部を除き、内側壁１０″の周りに緊密に密接して配設される。排出空気ｕが通過することのできる排出通路１２″がそのためカバー２０と内側に移動または曲げられる部分との間に形成される。排出通路１２″は出口オリフィス１３″の溶接スクリーン８″の各側に出る。吸入空気ｉが内側壁１０″と顔との間を通過する。カバー２０は前側表面２２とこの前側表面２２に取付けられた側部表面２３とが設けられる。カバー２０は光透過部分２４が設けられまた内側壁１０″にこのカバーを容易に取付けまた取外し防護ガラスの清掃と取替えをするための装置が設けられている。
【００４８】
溶接スクリーン８，８′，８″は、溶接スクリーン８，８′，８″に取付けられ頭の上に配設される公知のヨーク、フレームまたは支持体（図示しない）のような保持手段により着用者の頭に配設することができる。溶接スクリーン８，８′，８″を着用者の顔の前方に配置する他の型の装置もまた考えられる。しかし、溶接スクリーン８，８′，８″が着用者の顔から距離をおいて配置されそれにより支えまたは空間が顔と顔に最も近く設けられた壁すなわち内側壁１０，１０′，１０″との間に形成されるようにすることが重要である。これにより吸入空気は顔と内側壁１０，１０′，１０″との間を通過することができる。同時に目的物が顔の上に密接して置かれた時に起きる不愉快な感じがなくなる。
【００４９】
熱が溶接中に与えられそのため溶接作業者によって使用される溶接スクリーン８，８′，８″が加熱され、溶接スクリーン８，８′，８″内部の温度が上昇するようになる。溶接スクリーン８，８′，８″の前側表面に反射層を設けることにより、加熱は最小とすることができる。排出通路１２，１２′，１２″の排出空気ｕの流量と出口オリフィス１３，１３′，１３″を出る能力とを増大させるため、溶接スクリーン８，８′，８″の外側面の一部に熱吸収層、例えば黒色塗料を出口オリフィス１３，１３′，１３″の周りの部分に塗布し溶接スクリーン８，８′，８″の外側表面の近くに対流と上昇暖気流とが得られるようにすることができる。
【００５０】
排出通路と出口オリフィスとは熱の放射または他の熱空気の運動により生じる排出空気の噴射が得られるように位置させることができる。口と鼻からの排出空気の流量を増大させるため、排出通路と出口オリフィスとは暖かい排出空気から生じる熱の力の利点が得られるように位置させることができる。
【００５１】
本発明は図示形態に限定されず複数の変形例が請求の範囲内で考えられる。そのため、上記の実施態様における共通の特徴構成を形成する空気偏向手段が例えば溶接スクリーンの頂部、底部または表面上に置かれた出口オリフィスで終わることが考えられる。また空気偏向手段がすでに存在する顔面遮蔽具に取付けることのできる別体のユニットを形成することのできることが考えられる。
【００５２】
本発明の顔面遮蔽具は、対称軸を中心に対称的な形状に形成されるものとして図示され、それにより空気の排出が２つの側面方向に同様に行われるように構成されているが、顔面遮蔽具を非対称に形成することもまた当然考えられる。
【００５３】
空気偏向手段はまた排出空気の方向と反対の空気の流れに対する抵抗が増すのを阻止しまたは抵抗を増すようにする一方向弁のような手段を設けることができる。この空気偏向手段はまた異なる着用者に顔面遮蔽具が適合するよう顔面遮蔽具の異なる位置へ調節自在に形成することができる。
【図面の簡単な説明】
【００５４】
【図１】横顔で見た人の吸入空気と排出空気の様々な方向を示す。
【図２】前方から見た人の鼻の吸入および排出空気の方向を示す。
【図３】本発明による空気偏向手段を有する顔面遮蔽具の上方から見た概略図である。
【図４】図３の一部の拡大図である。
【図５】後側から見た空気偏向手段を有する図３の溶接スクリーンを示す。
【図６】本発明による空気偏向手段を有する顔面遮蔽具の上方から見た概略図である。
【図７】本発明による空気偏向手段を有する顔面遮蔽具の上方から見た概略図である。
【図８】後側から見た空気偏向手段を有する図７の溶接スクリーンを示す。
【図９】着用者の上に置かれた本発明による顔面遮蔽具の斜面図である。
【図１０】着用者の上に置かれた本発明による顔面遮蔽具の斜面図である。
【図１１】（Ａ）は本発明によるカバーの側面図であり、（Ｂ）は本発明による顔面遮蔽具の側面図である。
【符号の説明】
【００５５】
３    空気偏向手段
４    案内翼形
５    偏向表面
７    分離縁
９″    光透過部分
１０″    顔面遮蔽具の内側壁
１１″    開口
１２″    排出通路
１３，１３′，１３″    出口オリフィス
１８    前側の面
１９    側壁
２０    カバー
２４    光透過部分
【図１】
2006239392.tif 000003
【図２】
2006239392.tif 000004
【図３】
2006239392.tif 000005
【図４】
2006239392.tif 000006
【図５】
2006239392.tif 000007
【図６】
2006239392.tif 000008
【図７】
2006239392.tif 000009
【図８】
2006239392.tif 000010
【図９】
2006239392.tif 000011
【図１０】
2006239392.tif 000012
【図１１】
2006239392.tif 000013